(57)【要約】【課題】画像観察に関するユーザの負担を低減。【解決手段】データ抽出部２５２は、複数の医用画像の各々を装置種別に関連づけて記憶するデータ記憶装置１００から、リスト表示対象の複数の医用画像を抽出する。リスト発生部２５３は、抽出された複数の医用画像にそれぞれ対応する複数の縮小画像が配列された選択リストを発生する。選択リストは、複数の縮小画像が装置種別毎に配列され、且つ、抽出された複数の医用画像のうちの使用する可能性の高い候補画像に対応する縮小画像を明示している。リスト表示部２５４は、発生された選択リストを表示機器２００に表示する。【選択図】図１
2014142925.tif 000002
【特許請求の範囲】
【請求項１】
複数の医用画像の各々を装置種別に関連づけて記憶する画像記憶部からリスト表示対象の複数の医用画像を抽出する抽出部と、
前記抽出された複数の医用画像にそれぞれ対応する複数の縮小画像が配列されたリストを発生するリスト発生部であって、前記リストは前記複数の縮小画像が装置種別毎に配列され、且つ、前記抽出された複数の医用画像のうちの使用する可能性の高い候補画像に対応する縮小画像を明示するリスト発生部と、
前記発生されたリストを表示機器に表示する表示部と、
を具備する画像観察装置。
【請求項２】
画像表示に関する複数のアプリケーションプログラムの識別子の各々を、前記候補画像のための選択条件に関連づけて記憶するアプリケーション記憶部をさらに備え、
前記リスト発生部は、ユーザにより選択されたアプリケーションプログラムの識別子に関連づけられた選択条件に基づいて、前記抽出された複数の医用画像の中から前記候補画像を特定する、
請求項１記載の画像観察装置。
【請求項３】
前記選択条件は、前記アプリケーションプログラムによる観察に適した医用画像を選択するための条件である、請求項２記載の画像観察装置。
【請求項４】
前記表示部は、前記リストを画像精査用のアプリケーションプログラムの表示領域に重ねて表示する、請求項１記載の画像観察装置。
【請求項５】
前記表示部は、前記複数の縮小画像のうちのユーザにより選択された縮小画像に対応する医用画像を、前記表示領域に表示する、請求項４記載の画像観察装置。
【請求項６】
前記表示領域は複数の小領域に区分され、
前記表示部は、前記選択された縮小画像に対応する医用画像を、前記複数の小領域のうちの特定の小領域又はユーザ指定の小領域に嵌め込む、
請求項５記載の画像観察装置。
【請求項７】
前記リスト発生部は、前記抽出された複数の医用画像の付帯情報を、前記候補画像を選択するための選択条件に対して照合し、前記選択条件を満足する医用画像を前記候補画像に設定する、請求項１記載の画像観察装置。
【請求項８】
前記リスト発生部は、前記候補画像に対応する縮小画像を他の縮小画像よりも優先するように前記複数の縮小画像を並び替える、請求項７記載の画像観察装置。
【請求項９】
前記リスト発生部は、前記候補画像に対応する縮小画像を他の縮小画像よりも視覚的に強調する、請求項７記載の画像観察装置。
【請求項１０】
前記選択条件は、前記抽出された複数の医用画像のうちの位置合わせ対象の複数の医用画像を選択するための条件である、請求項７記載の画像観察装置。
【請求項１１】
前記画像記憶部は、複数の生体物理量測定・監視装置により測定された複数の測定結果をさらに記憶し、
前記抽出部は、前記リスト表示対象の複数の医用画像とともにリスト表示対象の複数の測定結果を抽出し、
前記リスト発生部は、前記抽出された複数の医用画像にそれぞれ対応する複数の縮小画像と前記抽出された測定結果が配列されたリストを発生する、
請求項１記載の画像観察装置。
【請求項１２】
前記画像記憶部は、前記複数の医用画像の各々を前記装置種別の他に患者識別子に関連づけて記憶し、
前記抽出部は、前記画像記憶部に記憶されている複数の医用画像の中から、ユーザにより選択された患者識別子に関連づけられた複数の医用画像を抽出する、
請求項１記載の画像観察装置。
【請求項１３】
前記リスト発生部は、前記候補画像に対応する縮小画像のみを前記リストに配置する、請求項１記載の画像観察装置。
【請求項１４】
複数の疾患の識別子の各々を、前記候補画像のための選択条件に関連づけて記憶する疾患記憶部をさらに備え、
前記リスト発生部は、ユーザにより選択された疾患の識別子に関連づけられた選択条件に基づいて、前記抽出された複数の医用画像の中から前記候補画像を特定する、
請求項１記載の画像観察装置。
【請求項１５】
前記選択条件は、前記疾患の観察に適した医用画像を選択するための条件である、請求項１４記載の画像観察装置。
【請求項１６】
前記画像記憶部は、複数の生体物理量測定・監視装置により測定された複数の測定結果をさらに記憶し、
前記抽出部は、前記リスト表示対象の複数の医用画像とともにリスト表示対象の複数の測定結果を抽出し、
前記リスト発生部は、ユーザにより選択された疾患の識別子に関連づけられた選択条件に基づいて、前記抽出された測定結果の中から使用する可能性の高い測定結果を特定する、
請求項１４記載の画像観察装置。
【請求項１７】
複数の医用画像の各々を装置種別に関連づけて記憶する画像記憶部からリスト表示対象の複数の医用画像を抽出する工程と、
前記抽出された複数の医用画像にそれぞれ対応する複数の縮小画像が配列されたリストを発生する工程であって、前記リストは前記複数の縮小画像が装置種別毎に配列され、且つ、前記抽出された複数の医用画像のうちの使用する可能性の高い候補画像に対応する縮小画像を明示する工程と、
前記発生されたリストを表示機器に表示する工程と、
を具備する画像観察方法。
【請求項１８】
コンピュータに、
複数の医用画像の各々を装置種別に関連づけて記憶する画像記憶部からリスト表示対象の複数の医用画像を抽出する機能と、
前記抽出された複数の医用画像にそれぞれ対応する複数の縮小画像が配列されたリストを発生する機能であって、前記リストは前記複数の縮小画像が装置種別毎に配列され、且つ、前記抽出された複数の医用画像のうちの使用する可能性の高い候補画像に対応する縮小画像を明示する機能と、
前記発生されたリストを表示機器に表示する機能と、
を実現させるためのプログラムを記録したコンピュータ読み取り可能な記録媒体。
【発明の詳細な説明】
【技術分野】
【０００１】
本実施形態は、画像観察装置、画像観察方法、及びコンピュータ読み取り可能な記録媒体に関する。
【背景技術】
【０００２】
医用画像診断では、診断目的に応じて、Ｘ線ＣＴ（Computed Tomography）装置、超音波診断装置、ＭＲＩ（Magnetic Resonance Imaging）装置、Ｘ線アンギオ装置及びＳＰＥＣＴ／ＰＥＴ装置など、様々な画像診断装置が用いられる。以下、画像診断装置をモダリティと呼ぶこともある。
【０００３】
一般的に、複数のモダリティにより撮影された複数種類の医用画像のデータは、例えば、ＰＡＣＳ（Picture Archiving and Communication System）内の画像観察装置に送信される。画像観察装置には医用画像を表示するための画像ビューアが予め導入されている。画像観察装置は、医用画像のデータを受信すると、当該受信した医用画像を画像ビューアによりモニタの画面に表示する。このとき、ユーザが形態画像と機能画像とを総合的に観察したり、過去の検査画像と現在の検査画像とを比較観察したりすることを可能にするために、画像観察装置は、複数種類の医用画像を画面上に同時に表示することが好ましい。
【０００４】
このため近年では、画像観察装置に、複数種類の医用画像を画面上に同時に表示可能なマルチモダリティ機能が導入されている。この画像観察装置においてモニタの画像表示領域は複数の領域に分割され、複数種類の医用画像の各々が各領域に表示される。各領域に表示される医用画像は、ユーザが画像リストを参照しながら任意に選択可能である。ここで、画像リストとは、画像観察装置により受信された全ての医用画像の一覧である。画像リストは、各領域に表示する医用画像の選択プロセスにおいて画面上に表示される。
【先行技術文献】
【特許文献】
【０００５】
【特許文献１】特開２０１２−１５７６８８号公報
【発明の概要】
【発明が解決しようとする課題】
【０００６】
しかしながら、上記したような画像観察装置では、ユーザが、各領域に表示する画像データを画像リストから選択する画像選択プロセスと、各領域に表示された画像を精査する画像検証プロセスとを並行して行うことができないという不都合がある。即ち、上記したような画像観察装置では、画像リストと所望の画像とを同時に画面上の各領域に表示させることができず、その都度画面を切り替える必要があるため、手間がかかるという不都合がある。
【０００７】
目的は、画像観察に関するユーザの負担を低減可能な画像観察装置、画像観察方法、及びコンピュータ読み取り可能な記録媒体を提供することにある。
【課題を解決するための手段】
【０００８】
本実施形態に係る画像観察装置は、複数の医用画像の各々を装置種別に関連づけて記憶する画像記憶部からリスト表示対象の複数の医用画像を抽出する抽出部と、前記抽出された複数の医用画像にそれぞれ対応する複数の縮小画像が配列されたリストを発生するリスト発生部であって、前記リストは前記複数の縮小画像が装置種別毎に配列され、且つ、前記抽出された複数の医用画像のうちの使用する可能性の高い候補画像に対応する縮小画像を明示するリスト発生部と、前記発生されたリストを表示機器に表示する表示部と、を具備する。
【図面の簡単な説明】
【０００９】
【図１】第１実施形態に係る画像観察装置を含む医用画像表示システムの構成例を示す模式図
【図２】第１実施形態に係る画像観察装置により発生される選択リストの一例を示す模式図
【図３】第１実施形態に係る画像観察装置により発生される選択リストから所望のデータを選択し、当該データをモニタの表示領域に表示させるまでの過程の一例を示す模式図
【図４】第１実施形態に係る画像観察装置の動作例を示すフローチャート
【図５】第２実施形態に係る画像観察装置を含む医用画像表示システムの構成例を示す模式図
【図６】第２実施形態に係る画像観察装置によりソート／ハイライトを実行した選択リストの一例を示す模式図
【図７】第２実施形態に係る画像観察装置の動作例を示すフローチャート
【図８】第３実施形態に係る画像観察装置を含む医用画像表示システムの構成例を示す図
【図９】図８のアプリケーション記憶装置に記憶されるアプリケーションテーブルの一例を示す図
【図１０】第３実施形態に係る画像観察装置の動作例を示すフローチャート
【図１１】第４実施形態に係る画像観察装置を含む医用画像表示システムの構成例を示す図
【図１２】図１１のアプリケーション記憶装置に記憶されるアプリケーションテーブルの一例を示す図
【図１３】第４実施形態に係る画像観察装置の動作例を示すフローチャート
【発明を実施するための形態】
【００１０】
以下、図面を参照しながら各実施形態に係わる画像観察装置及びそのプログラムについて説明する。以下の画像観察装置は、ハードウェア構成、またはハードウェア資源とソフトウェアとの組合せ構成のいずれでも実施可能となっている。組合せ構成のソフトウェアとしては、予めネットワークまたは記録媒体からコンピュータにインストールされ、画像観察装置の各機能を当該コンピュータに実現させるためのプログラムが用いられる。
【００１１】
［第１実施形態］
図１は第１実施形態に係る画像観察装置を含む医用画像表示システムの構成例を示す模式図である。図２は同実施形態に係る画像観察装置により発生される選択リストの一例を示す模式図である。図３は同実施形態に係る画像観察装置により発生される選択リストから所望のデータを選択し、当該データをモニタの表示領域に表示させるまでの過程の一例を示す模式図である。
【００１２】
図１に示す医用画像表示システム１は、複数の医療機器１０，２０，…，７０、データ記憶装置１００、入力装置１５０、モニタ２００及び画像観察装置２５０を備えている。なお、各医療機器１０乃至７０及びデータ記憶装置１００と、データ記憶装置１００及び画像観察装置２５０とは、それぞれ通信可能に接続される。以下に、各装置１０乃至７０，１００，１５０，２００，２５０の機能について詳細に説明する。
【００１３】
各医療機器１０乃至７０は、医用画像診断装置と生体物理量測定・監視装置とであり、例えば、図１に示すように、Ｘ線ＣＴ装置１０、超音波診断装置２０、Ｘ線アンギオ装置３０、ＭＲＩ装置４０、ＳＰＥＣＴ／ＰＥＴ装置５０、血管内超音波診断装置（IVUS: intravascular ultrasound）６０及び心電計７０などである。なお、本実施形態では、代表的な医用画像診断装置及び生体物理量測定・監視装置として、Ｘ線ＣＴ装置１０、超音波診断装置２０、Ｘ線アンギオ装置３０、ＭＲＩ装置４０、ＳＰＥＣＴ／ＰＥＴ装置５０、血管内超音波診断装置６０及び心電計７０を例に挙げたが、これらに限定するものでなく、医用画像診断装置や生体物理量測定・監視装置であれば、医用画像表示システム１を構成する医療機器として適宜適用可能である。
【００１４】
データ記憶装置１００は、各医用画像診断装置１０乃至６０により撮影された複数種類の医用画像のデータと、生体物理量測定・監視装置７０により測定された測定結果のデータとを記憶する記憶装置である。以下、医用画像と測定結果とを総称して医用コンテンツと呼ぶことにする。
【００１５】
各医用画像のデータは、画像検査分野における標準規格のいわゆるＤＩＣＯＭ（Digital Imaging Communications and Medicine）画像ファイルの形式で管理される。医用画像のデータにはＤＩＣＯＭヘッダ（以下、付帯情報とも呼ぶ）が関連づけられている。ＤＩＣＯＭヘッダは、患者を識別するための患者ＩＤを少なくとも含む。また、ＤＩＣＯＭヘッダは、上記した患者ＩＤに加えて、医用画像の特徴を示す特徴情報を含んでも良い。具体的には、特徴情報とは、各医用画像診断装置１０乃至６０の装置種別を識別するためのモダリティＩＤや、撮影日、撮影部位、形態画像または機能画像のどちらであるかを示す画像種別情報、撮影時の造影剤の有無を示す造影剤有無情報、心電同期法を用いた撮影であるか否かを示す心電同期情報、そして、各医用画像診断装置１０乃至６０による解析の有無を示す解析有無情報などである。
【００１６】
測定結果のデータには上記したＤＩＣＯＭヘッダと同様の情報を有している。なお、本実施形態では、特徴情報が上記した各種情報を含むとしたが、特徴情報に含まれる各種情報はこれらに限定されるものでない。
【００１７】
また、データ記憶装置１００は、各医療機器１０乃至７０及び画像観察装置２５０と通信可能な図示されない通信部なども備えたサーバ装置として機能する。更に、本実施形態では、データ記憶装置１００が画像観察装置２５０の外部に位置するものとしたが、これに限定されず、データ記憶装置１００は後述する画像観察装置２５０内の一時記憶メモリ２５１に代えて画像観察装置２５０に搭載されても良い。
【００１８】
入力装置１５０は、ユーザの操作に応じて、画像観察装置２５０に対して各種入力処理を実行する入力インターフェースである。入力装置１５０は、具体的には、マウスやキーボード、タッチパネルなどである。各種入力処理としては、患者ＩＤの入力処理や、リスト表示要求の入力などが該当する。
【００１９】
モニタ２００は、画像観察装置２５０によりデータ記憶装置１００から抽出される医用画像と測定結果とを表示する表示装置である。なお、モニタ２００は、同一画面上に複数の医用画像と測定結果とを表示するために、１つの表示領域を複数の小領域に分割する機能をもつ。小領域の個数は、入力装置１５０を介して、ユーザが任意に設定可能である。
【００２０】
ここで、画像観察装置２５０は、図１に示すように、一時記憶メモリ２５１、データ抽出部２５２、リスト発生部２５３、リスト表示部２５４及びデータ表示部２５５を備えている。以下に、画像観察装置２５０を構成する各部２５１乃至２５５の機能について詳細に説明する。
【００２１】
一時記憶メモリ２５１は、後述するデータ抽出部２５２により抽出された医用コンテンツ（医用画像と測定結果とのデータ）を一時的に記憶する記憶装置である。なお、一時記憶メモリ２５１に記憶された各種医用コンテンツは、画像観察装置２５０の動作をスムーズにするため、所望の時間毎に一時記憶メモリ２５１から削除されても良い。
【００２２】
データ抽出部２５２は、データ記憶装置１００に記憶されている複数の医用コンテンツの中から、リスト表示対象の複数の医用コンテンツを抽出する。例えば、リスト表示対象は患者ＩＤにより指定される。この場合、データ抽出部２５２は、入力装置１５０により入力された患者ＩＤに関連づけられた医用画像及び測定結果のデータをデータ記憶装置１００から抽出する。また、データ抽出部２５２は、当該抽出した医用画像及び測定結果のデータを一時記憶メモリ２５１に書込む。
【００２３】
なお、上記の説明において、リスト表示対象は患者ＩＤにより指定されるとしたが、本実施形態はこれに限定されない。例えば、リスト表示対象は、ＤＩＣＯＭヘッダ内のいずれかの情報（例えば、撮影日や測定日など）の入力に応じて各種の医用コンテンツを抽出するとしても良い。また、本実施形態では、データ抽出部２５２は、各種の医用コンテンツをデータ記憶装置１００から抽出するとしたが、これに限定されない。例えば、データ抽出部２５２は、各種の医用コンテンツを各医療機器１０乃至７０から直接抽出するとしても良い。
【００２４】
リスト発生部２５３は、一時記憶メモリ２５１に記憶された複数の医用コンテンツ、すなわち、データ抽出部２５２により抽出された複数の医用コンテンツにそれぞれ対応する複数の縮小画像（サムネイル画像）が配列された選択リスト（MM-Selector）を発生する。選択リストは、複数のサムネイル画像が装置種別（モダリティ）毎に配列され、且つ、抽出された医用コンテンツのうちの使用する可能性の高い医用コンテンツに対応するサムネイル画像を明示する。選択リストには、複数の医用コンテンツにそれぞれ対応する複数のサムネイル画像がマトリクス状に配列されている。選択リストを観察することによりユーザは、複数の医用コンテンツを一覧することができる。リスト発生部２５３は、複数の医用コンテンツにそれぞれ対応する複数のサムネイル画像を、当該複数の医用コンテンツにそれぞれ対応する複数のＤＩＣＯＭヘッダの選択条件への適合結果に従って配列することにより発生する。選択条件とは、選択リストの縦軸及び横軸を規定する条件である。選択条件は、ユーザが入力装置１５０を介して任意に設定可能である。一例として、図２に示す選択リストＳｅは、縦軸がモダリティＩＤ（装置種別）を示し、横軸が画像シリーズを示す。この場合、リスト発生部２５３は、複数の医用コンテンツを装置種別毎に分類し、装置種別毎に分類された医用コンテンツに対応するサムネイル画像をさらに画像シリーズに従って配列する。図２において、装置種別としては、ＣＴ（Ｘ線ＣＴ装置）、ＭＲ（ＭＲＩ装置）、ＵＳ（超音波診断装置）、ＸＲ（Ｘ線アンギオ装置）、ＳＰＥＣＴ（ＳＰＥＣＴ装置）が挙げられている。各装置種別の複数の医用画像にそれぞれ対応する複数のサムネイル画像がシリーズ番号順に配列されている。
【００２５】
なお、本実施形態では、リスト発生部２５３は、図２に示す選択リストＳｅのようなサムネイル形式の選択リストを発生するとした。しかしながら、リスト発生部２５３により発生される選択リストの形式はこれに限定されるものでない。また、図２に示す選択リストＳｅ内のサムネイル画像は、２次元画像であっても良いし、３次元画像であっても良い。例えば、３次元画像を用いたサムネイル形式の選択リストには、サムネイル画像の上に入力装置１５０（例えば、マウスなど）のカーソルを重畳させることにより、別の３次元画像を表示させる機能を更に付しても良い。更に、本実施形態では、リスト発生部２５３は、一時記憶メモリ２５１に記憶された医用画像と測定結果とのデータの一覧を示す選択リストを発生するとした。しかしながら、リスト発生部２５３は、例えば、一時記憶メモリ２５１に医用画像のデータのみが記憶されている場合、リスト発生部２５３は、これら医用画像のデータの一覧を示す選択リストを発生しても良い。
【００２６】
リスト表示部２５４は、リスト発生部２５３により発生された選択リストをモニタに表示する。具体的には、リスト表示部２５４は、画像精査用のアプリケーションプログラムの表示領域（Reading-Workspace）に重ねて選択リストを表示する。例えば、リスト表示部２５４は、入力装置１５０から選択リストの表示要求を受け付けると、例えば図３に示すように、表示領域（Reading-Workspace）に重ねて当該選択リストＳｅを表示する。なお表示領域（Reading-Workspace）は、図３に示すように、画像精査用の医用画像又は測定結果を表示するための複数の小領域に分割されている。
【００２７】
データ表示部２５５は、入力装置１５０を介して、モニタ２００に表示された選択リスト内の複数のサムネイル画像のいずれかが選択された場合、当該選択されたサムネイル画像に対応する医用画像又は測定結果を表示領域（Reading-Workspace）の各小領域のいずれかに表示させる。換言すれば、選択リストＳｅは、表示領域（Reading-Workspace）に表示された医用画像及び測定結果と共に、モニタ２００の表示領域に表示される。
【００２８】
なお、選択リスト内の各種医用コンテンツを表示領域（Reading-Workspace）の各小領域に表示させる手法としては、複数の手法が挙げられる。例えば図３に示すように、ドラッグ・アンド・ドロップ（Ｄ＆Ｄ）が挙げられる。この場合、ユーザは、入力装置１５０を介して、選択リスト内の任意の医用コンテンツのサムネイル画像を複数の小領域のうちの表示させたい小領域にドラッグ・アンド・ドロップする。データ表示部２５５は、ドラッグ・アンド・ドロップされたサムネイル画像に対応する医用コンテンツを、移動先の小領域に嵌め込む。他の方法として、クリックが挙げられる。この場合、ユーザは、入力装置１５０を介して、表示領域（Reading-Workspace）に表示させたい医用コンテンツに対応するサムネイル画像を選択リストに表示されている複数のサムネイル画像から選択してダブルクリックする。データ表示部２５５は、ダブルクリックされたサムネイル画像に対応する医用コンテンツを、複数の小領域のいずれかに嵌め込む。また、疾患名毎に、モニタ２００に表示させる各種医用コンテンツを予め設定しておくことで、入力装置１５０からの疾患名の入力に応じて各種医用コンテンツをモニタ２００に表示させるとしても良い。
【００２９】
次に、以上のように構成された画像観察装置２５０の動作の一例について、図２ならびに図３の模式図と、図４のフローチャートとを参照しながら説明する。
【００３０】
始めに、データ抽出部２５２は、入力装置１５０により入力された患者ＩＤの入力を受け付けると、当該入力を受け付けた患者ＩＤに関連づけられた医用画像及び測定結果のデータをデータ記憶装置１００から抽出する（ステップＳ１）。データ抽出部２５２は、当該抽出した医用画像及び測定結果のデータを一時記憶メモリ２５１に書き込む。
【００３１】
続いて、リスト発生部２５３は、一時記憶メモリ２５１に記憶された医用画像及び測定結果に基づいて選択リストを所望の選択条件に従って発生する（ステップＳ２）。ここでは、リスト発生部２５３は、図２に示すように、縦軸がモダリティＩＤを示し、横軸が画像シリーズを示す選択リストＳｅを発生する。なお、選択リストＳｅは、リスト発生部２５３により図示されないメモリなどに適宜書き込まれ、必要に応じてすぐに読出可能な状態に保たれる。
【００３２】
次に、リスト表示部２５４は、リスト発生部２５３により選択リストＳｅが発生されると、選択リストＳｅをモニタ２００に表示させる（ステップＳ３）。
【００３３】
続いて、データ表示部２５５は、入力装置１５０を介して、選択リストＳｅ内の医用画像又は測定結果に対応するサムネイル画像が選択された場合、当該選択されたサムネイル画像に対応する医用画像又は測定結果を表示領域（Reading-Workspace）の複数の小領域のいずれかに表示させる（ステップＳ４）。
【００３４】
上記したステップＳ１乃至Ｓ４の処理が、所望の医用コンテンツを抽出してからモニタ２００に表示させるまでの一連の処理の一例である。
【００３５】
ここで、リスト表示部２５４は、入力装置１５０を介してリスト表示要求が入力された場合、既に発生された選択リストＳｅを、表示領域（Reading-Workspace）に重ねて表示する。換言すれば、リスト表示部２５４は、表示領域（Reading-Workspace）の小領域に既に表示された医用画像及び測定結果と共に選択リストＳｅを表示する（ステップＳ５）。
【００３６】
その後、データ表示部２５５は、入力装置１５０を介して、選択リストＳｅ内のサムネイル画像が選択された場合、当該選択されたサムネイル画像に対応する医用画像又は測定結果を各小領域に表示させる（ステップＳ６）。例えば、データ表示部２５５は、図３に示すように、選択リストＳｅ内のサムネイル画像ｇ１が選択され、当該選択されたサムネイル画像ｇ１が６つに分割された小領域のうちの左上の小領域にドラッグ・アンド・ドロップされると、当該選択されたサムネイル画像に対応する医用画像を当該小領域に既に表示されていた医用コンテンツに代えて表示する。
【００３７】
なお、本実施形態では、データ記憶装置１００と１台の画像観察装置２５０とが通信可能に接続された場合について説明したが、データ記憶装置１００は複数台の画像観察装置２５０と通信可能に接続されても良い。このとき、１台の画像観察装置２５０が所定の医用画像をモニタ２００に表示させている場合、他の画像観察装置２５０の選択リスト内の当該医用画像部分には、別の画像観察装置２５０が当該医用画像をモニタ２００に表示させている旨を示す任意のマークを付するなどしても良い（但し、他の画像観察装置が上記所定の医用画像を含む選択リストを発生している場合に限る）。
【００３８】
以上説明した第１実施形態によれば、入力装置１５０により入力されたリスト表示要求の入力を受け付けると、当該入力を受け付けたリスト表示要求に応じて、既に発生された選択リストをメモリなどから呼び出した後に、当該選択リストを、モニタ２００の各表示領域に既に表示された医用画像及び測定結果のデータと共に表示させるリスト表示部２５４を備えた構成により、モニタ２００の画面上にいつでも選択リストを表示させることが可能となり、ユーザが医用画像及び測定結果のデータを任意のタイミングで変更することができる。
【００３９】
［第２実施形態］
図５は、第２実施形態に係る画像観察装置を含む医用画像表示システムの構成例を示す模式図である。図５に示すように、第２実施形態に係る画像観察装置のリスト発生部２５３は、ソート／ハイライト部２５６を有している。図６は、図５の画像観察装置によりソート／ハイライトを実行したときの選択リストの一例を示す模式図である。なお以下の説明において、第１実施形態と略同一の機能を有する構成要素については、同一符号を付し、必要な場合にのみ重複説明する。
【００４０】
ソート／ハイライト部２５６は、選択リストに含まれる複数のサムネイル画像のうちの、選択条件に適合する医用画像に対応するサムネイル画像を他のサムネイル画像よりも優先するように、選択リスト内の複数のサムネイル画像を並び替える（ソートする）。あるいは、ソート／ハイライト部２５６は、選択リストに含まれる複数のサムネイル画像のうちの、選択条件に適合する医用画像に対応するサムネイル画像を他のサムネイル画像よりも視覚的に強調する（ハイライトする）。なお、ソート／ハイライト部２５６がソート、ハイライト、またはソート及びハイライトのいずれを実行するかは、ユーザが任意に設定可能である。
【００４１】
選択条件は、データ抽出部２５２により抽出された複数の医用コンテンツのうちの位置合わせ対象の複数の医用画像を選択するための条件である。ここで、ソート／ハイライト部２５６は、位置合わせ可能な医用画像を特定するために、以下に示す(A)の選択条件を満足する１つ以上の医用画像と、以下に示す(B)の選択条件を満足する１つ以上の医用画像とが当該選択リスト内に存在するか否かを判定する。そして、ソート／ハイライト部２５６は、(A)の選択条件を満足する医用画像と、(B)の選択条件を満足する医用画像とを、使用する可能性の高い医用画像（以下、候補画像と呼ぶ）に設定する。ソート／ハイライト部２５６は、図６に示すように、候補画像に対応するサムネイル画像Ｉ１を、選択条件を満足しない他の医用画像に対応するサムネイル画像Ｉ２に優先するように、選択リストＳｅにおいて並び替える。例えば、図６においては、サムネイル画像Ｉ１が他のサムネイル画像Ｉ２に優先して左側から配置される。これによりユーザは、選択リストから候補画像に対応するサムネイル画像を容易に見つけ出すことができる。あるいは、ソート／ハイライト部２５６は、候補画像に対応するサムネイル画像Ｉ１を、他の医用画像に対応するサムネイル画像Ｉ２に比して、選択リストＳｅにおいて視覚的に強調する。例えば、図６においては、サムネイル画像Ｉ１は、枠が強調されている。これによりユーザは、候補画像に対応するサムネイル画像を容易に見つけ出すことができる。なお強調方法は、サムネイル画像の枠を強調する態様のみに限定されない。なお、ソート／ハイライト部２５６は、上記の並び替え処理と強調処理との両方を行っても良い。
【００４２】
選択条件(A)  医用画像の付帯情報内の特徴情報が、Ｘ線ＣＴ装置１０を示すモダリティＩＤと、造影剤を注入した旨を示す造影剤有無情報と、心電同期法を用いて撮影した旨を示す心電同期情報とを含むこと。
【００４３】
選択条件(B)   医用画像の付帯情報内の特徴情報が、ＳＰＥＣＴ／ＰＥＴ装置５０を示すモダリティＩＤと、心電同期法を用いて撮影した旨を示す心電同期情報とを含むこと。
【００４４】
一般的に、上記(A)の条件を満足する医用画像はＣＴ冠動脈形状画像であり、上記(B)の条件を満足する医用画像はＳＰＥＣＴ／ＰＥＴ装置５０により撮影された機能画像である。
【００４５】
上記では、(A)の条件を満足する１つ以上の医用画像と、(B)の条件を満足する１つ以上の医用画像とが位置合わせ可能である旨を示した。しかしながら、本実施形態は、これに限定されない。上記(A)の条件を満足する医用画像は、以下に示す(C)または(D)のいずれかの選択条件を満足する医用画像とも位置合わせ可能である。(C)及び(D)の選択条件は以下の通りである。
【００４６】
選択条件(C)  医用画像の付帯情報内の特徴情報が、超音波診断装置２０を示すモダリティＩＤと、超音波診断装置２０により解析された画像データである旨を示す解析有無情報とを含むこと。
【００４７】
選択条件(D)  医用画像の付帯情報内の特徴情報が、ＭＲＩ装置４０を示すモダリティＩＤと、ＭＲＩ装置４０により解析された医用画像である旨を示す解析有無情報とを含むこと。
【００４８】
一般的に、上記(C)の選択条件を満足する医用画像は、超音波診断装置２０により撮影された超音波機能画像であり、上記(D)の条件を満足する医用画像は、ＭＲＩ装置４０により撮影されたパフュージョン画像や遅延造影画像などである。
【００４９】
なお、上記の選択条件は、位置合わせ可能な医用画像を選択するための条件であるとした。しかしながら、本実施形態はこれに限定されない。例えば、選択条件は、２つの医用コンテンツを用いることで新しいパラメータを出力可能であるか否か（例えば、Stress/Restの結果を用いて算出可能なCFRなど）、病院毎に規定されたガイドラインや一般的なガイドラインを元にした決定木（Decision Tree）、モニタ２００に現在表示されている医用画像、モダリティベンダ、検査種別、画像読込回数ならびに医用画像に関するレポートの閲覧回数などに基づいて、ソートやハイライトを実行するとしても良い。
【００５０】
次に、以上のように構成された画像観察装置２５０の動作の一例について、図６の模式図と、図７のフローチャートを参照しながら説明する。
【００５１】
始めに、ソート／ハイライト部２５６は、ユーザの操作に応じて、入力装置１５０を介したソート／ハイライト要求を受け付ける（ステップＳ１１）。
【００５２】
続いて、ソート／ハイライト部２５６は、受け付けたソート／ハイライト要求に応じて、リスト表示部２５４により表示された選択リスト内のサムネイル画像に対応する医用画像のうち、上記(A)の条件を満足する１つ以上の医用画像と、上記(B)乃至(D)の条件のいずれかを満足する１つ以上の医用画像とが存在するか否かを判定する（ステップＳ１２）。ステップＳ１２の処理による判定の結果が”存在しない”の場合（ステップＳ１２のＮｏ）には、本動作例に関する画像観察装置２５０の動作が終了させる。
【００５３】
ステップＳ１２の処理による判定の結果が”存在する”の場合（ステップＳ１２のＹｅｓ）には、ソート／ハイライト部２５６は、上記(A)の条件を満足した１つ以上の医用画像に対応するサムネイル画像と、上記(B)乃至(D)の条件のいずれかを満足した１つ以上の医用画像に対応するサムネイル画像とをソート及び／またはハイライトする（ステップＳ１３）。
【００５４】
なお、図６に示した選択リストＳｅでは、ステップＳ１２の処理において条件を満足した医用画像に対応するサムネイル画像をすべて左側に配置し、且つこれら医用画像に対応するサムネイル画像の枠を強調するとしたが、並び替え処理と強調処理との内容はこれに限定されず、ユーザが入力装置１５０を介して任意に設定可能である。例えば、ソート／ハイライト部２５６は、条件を満足した医用画像に対応するサムネイル画像を全て右側にソートしても良い。また、ソート／ハイライト部２５６は、満足した選択条件に応じて強調方法を変更しても良い。
【００５５】
第２実施形態に係る画像観察装置は、位置合わせ可能な医用画像を候補画像として特定し、当該候補画像に対応するサムネイル画像をソート及び／またはハイライトすることにより明示する。また、第２実施形態に係る画像観察装置は、候補画像に対応するサムネイル画像を明示することにより、医用コンテンツ間の関連性を示すことが可能となる。これにより画像観察装置は、どの医用コンテンツを利用すれば有効な結果を得ることができるかをユーザに提示することができる。
【００５６】
なお上記の説明においてリスト発生部２５３は、ソート又はハイライトにより、候補画像に対応するサムネイル画像を明示するとした。しかしながら、本実施形態はこれに限定されない。例えば、リスト発生部２５３は、候補画像に対応するサムネイル画像のみにリストに配置しても良い。具体的には、リスト派生部２５３は、ユーザが候補画像を確実に判別可能な場合、当該候補画像に対応するサムネイル画像を選択リストに残し、他のサムネイル画像を選択リストから消去する。確実に判別可能な場合とは、例えば、各装置種別において候補画像が所定数未満の場合が該当する。所定数は、選択リストのモニタ２００における表示範囲に収まるサムネイル画像の個数に設定されても良いし、ユーザにより入力装置１５０を介して任意の数に設定されても良い。
【００５７】
［第３実施形態］
図８は、第３実施形態に係る画像観察装置を含む医用画像表示システムの構成例を示す模式図である。図８に示すように、第３実施形態に係る画像観察装置は、さらにアプリケーション記憶装置２５７を有している。なお以下の説明において、第１及び第２実施形態と略同一の機能を有する構成要素については、同一符号を付し、必要な場合にのみ重複説明する。
【００５８】
アプリケーション記憶装置２５７は、画像表示に関する複数のアプリケーションプログラムの識別子の各々を、使用の可能性の高い医用画像を選択するための選択条件に関連づけて記憶する記憶装置である。例えば、アプリケーション記憶装置２５７は、アプリケーションプログラムの識別子と選択条件とを対応付けたテーブルを有している。以下、当該テーブルをアプリケーションテーブルと呼ぶことにする。アプリケーションプログラムの識別子としてはＩＤやアプリケーション名等が用いられると良い。
【００５９】
図９は、アプリケーションテーブルの一例を示す図である。図９に示すように、アプリケーションテーブルは、ＩＤにアプリケーション名と選択条件とを関連づけている。例えば、ＩＤ１のアプリケーションプログラムのアプリケーション名は“心臓解析プログラム”であり、選択条件は“条件１”である。同様に、ＩＤ２のアプリケーションプログラムのアプリケーション名は“脳解析プログラム”であり、選択条件は“条件２”であり、ＩＤ３のアプリケーションプログラムのアプリケーション名は“大腸解析プログラム”であり、選択条件は“条件３”である。第３実施形態に係る選択条件としては、例えば、当該アプリケーションプログラムに適した医用画像を選択するための条件に規定される。より詳細には、アプリケーションプログラムの解析対象（撮影部位）の撮影に適した装置種別が存在する。従って、選択条件としては、当該アプリケーションプログラムの解析対象の撮影に適した装置種別と同種の装置で発生された医用画像である。具体的には、ＩＤ１の“心臓解析プログラム”の場合、条件１は、例えば、“ＣＴ”となる。なお、選択条件としては、上記の条件に限定されず、例えば、第１実施形態に記載の選択条件であっても第２実施形態に記載の選択条件であっても良い。選択条件の内容は、ユーザにより入力装置１５０を介して任意に設定可能である。
【００６０】
次に、以上のように構成された第３実施形態に係る画像観察装置２５０の動作の一例について、図１０のフローチャートを参照しながら説明する。
【００６１】
始めに、ソート／ハイライト部２５６は、ユーザの操作に応じて、入力装置１５０を介したアプリケーションプログラムの選択を受け付ける（ステップＳ２１）。アプリケーションプログラムの選択ための表示領域（以下、選択ウィンドウと呼ぶ）は、例えば、図示しない選択リストに設けられた選択ボタンが押下されることにより、リスト表示部２５４により表示される。ユーザは、選択ウィンドウに表示された複数のアプリケーション名の中から所望のアプリケーション名を、入力装置１５０を介して選択する。
【００６２】
続いて、ソート／ハイライト部２５６は、選択されたアプリケーション名にアプリケーションテーブルにおいて関連づけられた選択条件を読み出し、選択リストに表示された複数のサムネイル画像にそれぞれ対応する複数の医用画像のうち、読み出された選択条件を満足する医用画像が存在するか否かを判定する（ステップＳ２２）。ステップＳ２２の処理による判定の結果が”存在しない”の場合（ステップＳ２２のＮｏ）には、本動作例に関する画像観察装置２５０の動作が終了させる。例えば、ソート／ハイライト部２５６は、複数の医用画像の各々のＤＩＣＯＭヘッダが選択条件に合致するか否かを判定する。例えば、ステップＳ２１において”脳解析プログラム”が選択され、”脳解析プログラム”の選択条件が”ＭＲ”の場合、ソート／ハイライト部２５６は、複数の医用画像の各々の装置種別の値を参照し、値”ＭＲ”を有する医用画像を特定する。特定された医用画像が候補画像に設定される。
【００６３】
ステップＳ２２の処理による判定の結果が”存在する”の場合（ステップＳ２２のＹｅｓ）には、ソート／ハイライト部２５６は、ステップＳ２２において読み出された選択条件を満足した医用画像に対応するサムネイル画像にソート／ハイライト処理を実行する（ステップＳ２３）。具体的には、ソート／ハイライト部２５６は、候補画像に対応するサムネイル画像を他のサムネイル画像に優先して左側に配置したり、候補画像に対応するサムネイル画像を他のサムネイル画像に比して視覚的に強調したりする。
【００６４】
上記の通り、第３実施形態に係る画像観察装置は、選択リストにおいて、ユーザが選択したアプリケーションプログラムに適した医用画像に対応するサムネイル画像を明示することが可能となる。
【００６５】
［第４実施形態］
図１１は、第４実施形態に係る画像観察装置を含む医用画像表示システムの構成例を示す模式図である。図１１に示すように、第４実施形態に係る画像観察装置は、さらに疾患記憶装置２５８を有している。なお以下の説明において、第１及び第２実施形態と略同一の機能を有する構成要素については、同一符号を付し、必要な場合にのみ重複説明する。
【００６６】
疾患記憶装置２５８は、複数の疾患の識別子の各々を、使用の可能性の高い医用コンテンツを選択するための選択条件に関連づけて記憶する記憶装置である。例えば、疾患記憶装置２５８は、疾患の識別子と選択条件とを対応付けたテーブルを有している。以下、当該テーブルを疾患テーブルと呼ぶことにする。疾患の識別子としてはＩＤや疾患名が用いられると良い。
【００６７】
図１２は、疾患テーブルの一例を示す図である。図１２に示すように、疾患テーブルは、識別子（ＩＤ）に疾患名と選択条件とを関連づけている。例えば、ＩＤ１の疾患の疾患名は“虚血性心疾患”であり、選択条件は“条件１”である。同様に、ＩＤ２の疾患の疾患名は“脳梗塞”であり、選択条件は“条件２”であり、ＩＤ３の疾患の疾患名は“肺炎”であり、選択条件は“条件３”である。第３実施形態に係る選択条件としては、例えば、当該疾患の診断に関連性が高い医用コンテンツを選択するための条件に規定される。より詳細には、疾患の診断に適した装置種別や測定結果の種類、画像種が存在する。例えば、疾患名が“虚血性心疾患”は、ＣＴのオリジナル画像やＣＴの冠動脈解析結果、ＳＰＥＣＴの心筋パフュージョン解析結果、アンギオの冠動脈造影検査結果等の医用コンテンツ等のある程度決まった医用コンテンツで診断されている。従って、選択条件としては、当該疾患の診断に適した装置種別や測定結果の種類、画像種と同種の装置種別や測定結果の種類、画像種の医用コンテンツである。具体的には、ＩＤ１の“虚血性心疾患”の場合、条件１は、例えば、“ＣＴのオリジナル画像”や“ＣＴの冠動脈解析結果”、“ＳＰＥＣＴの心筋パフュージョン解析結果”、“アンギオの冠動脈造影検査結果”となる。なお、選択条件としては、上記の条件に限定されず、例えば、第１実施形態に記載の選択条件であっても第２実施形態に記載の選択条件であっても良い。選択条件の内容は、ユーザにより入力装置１５０を介して任意に設定可能である。
【００６８】
次に、以上のように構成された第４実施形態に係る画像観察装置２５０の動作の一例について、図１３のフローチャートを参照しながら説明する。
【００６９】
始めに、ソート／ハイライト部２５６は、ユーザの操作に応じて、入力装置１５０を介した疾患の選択を受け付ける（ステップＳ３１）。疾患の選択ための表示領域（以下、選択ウィンドウと呼ぶ）は、例えば、図示しない選択リストに設けられた選択ボタンが押下されることにより、リスト表示部２５４により表示される。ユーザは、選択ウィンドウに表示された複数の疾患名の中から所望の疾患名を、入力装置１５０を介して選択する。
【００７０】
続いて、ソート／ハイライト部２５６は、選択された疾患名に疾患テーブルにおいて関連づけられた選択条件を読み出し、選択リストに表示された複数のサムネイル画像にそれぞれ対応する複数の医用コンテンツのうち、読み出された選択条件を満足する医用コンテンツが存在するか否かを判定する（ステップＳ３２）。ステップＳ３２の処理による判定の結果が”存在しない”の場合（ステップＳ３２のＮｏ）には、本動作例に関する画像観察装置２５０の動作が終了させる。例えば、ソート／ハイライト部２５６は、複数の医用画像の各々のＤＩＣＯＭヘッダが選択条件に合致するか否かを判定する。例えば、ステップＳ３１において”虚血性心疾患”が選択された場合、ソート／ハイライト部２５６は、複数の医用コンテンツの各々のＤＩＣＯＭヘッダの値を参照し、”虚血性心疾患”の選択条件を満足する値を有する医用コンテンツを特定する。特定された医用コンテンツが候補画像に設定される。
【００７１】
ステップＳ３２の処理による判定の結果が”存在する”の場合（ステップＳ３２のＹｅｓ）には、ソート／ハイライト部２５６は、ステップＳ３２において読み出された選択条件を満足した医用コンテンツに対応するサムネイル画像にソート／ハイライト処理を実行する（ステップＳ３３）。具体的には、ソート／ハイライト部２５６は、使用可能性の高い医用コンテンツに対応するサムネイル画像を他のサムネイル画像に優先して左側に配置したり、使用可能性の高い医用コンテンツに対応するサムネイル画像を他のサムネイル画像に比して視覚的に強調したりする。
【００７２】
上記の通り、第４実施形態に係る画像観察装置は、選択リストにおいて、ユーザが選択した疾患名に適した医用コンテンツに対応するサムネイル画像を明示することが可能となる。
【００７３】
かくして、本実施形態によれば、画像観察に関するユーザの負担を低減することができる。
【００７４】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１…医用画像表示システム、１０…Ｘ線ＣＴ装置、２０…超音波診断装置、３０…Ｘ線アンギオ装置、４０…ＭＲＩ装置、５０…ＳＰＥＣＴ／ＰＥＴ装置、６０…血管内超音波診断装置、７０…心電計、１００…データ記憶装置、１５０…入力装置、２００…モニタ、２５０…画像観察装置、２５１…一時記憶メモリ、２５２…データ抽出部、２５３…リスト発生部、２５４…リスト表示部、２５５…データ表示部、２５６…ソート／ハイライト部。
【図４】
2014142925.tif 000003
【図７】
2014142925.tif 000004
【図９】
2014142925.tif 000005
【図１０】
2014142925.tif 000006
【図１２】
2014142925.tif 000007
【図１３】
2014142925.tif 000008
【図１】
2014142925.tif 000009
【図２】
2014142925.tif 000010
【図３】
2014142925.tif 000011
【図５】
2014142925.tif 000012
【図６】
2014142925.tif 000013
【図８】
2014142925.tif 000014
【図１１】
2014142925.tif 000015